【事件の表示】
　特願２００１−　　９８２０「広告情報の供給方法」拒絶査定不服審判事件〔平成１４年　８月　２日出願公開、特開２００２−２１５６５６〕について、次のとおり審決する。
【結　論】
　本件審判の請求は、成り立たない。
【理　由】
　
１．手続きの経緯および本願発明
　本願は、平成１３年１月１８日の出願であって、平成１６年３月４日付（発送日：３月１０日）で拒絶査定がなされ、これに対し、平成１６年４月９日に拒絶査定不服審判が請求されたものである。そして、その請求項１に係る発明は、平成１６年２月１６日に補正された明細書及び図面の記載からみて、次のとおりのものと認める（以下、「本願発明」という。）。
「【請求項１】
　配信センタから所定位置に配置された広告表示装置に対して広告情報を配信し、該配信した広告情報を前記広告表示装置に表示させて、広告情報の供給を行うために、前記配信センタにおいて、
　広告依頼者に対して複数の環境に応じた複数の広告情報の入力を促す段階と、
　前記複数の環境を複数の環境パラメータで表わし、当該複数の環境パラメータと入力された前記複数の広告情報とを関連付けて記憶する段階と、
　前記広告表示装置の配置された所定位置に関する環境変化を通信回線を介して接続された気象情報配信サーバから取得する段階と、
　取得した環境変化に対応する前記環境パラメータに関連付けられた前記広告情報を読み出す段階と、
　当該読み出された広告情報を前記広告表示装置に対して配信する段階とを実行し、
　前記広告表示装置を取り巻く環境に連動した広告情報を提供することを特徴とする広告情報の供給方法。」
　
２．引用文献に記載された発明
　これに対して、原査定の拒絶理由で引用文献１として引用された特開平１１−５２９０１号公報（以下、引用文献１という。）には、以下の記載がある。
（ア）「【００１４】図１は、本発明のシステム構成図を示す。図１において、入力装置１は、環境を検出して入力するセンサ（例えば気温センサ、湿度センサ、騒音センサ、顧客検知センサなど）、画面上に表示した情報を選択するマウス、データや各種指示を入力するキーボードなどの各種入力装置である。
　【００１５】処理装置２は、図示外の記録媒体からプログラムを読み出して格納し動作させて各種処理を行うものであって、ここでは、広告手段３および広告情報テーブル４などから構成されるものである。各種処理としては、入力装置１からの情報を取り込んだり、広告出力装置５に表示データを出力、印刷データを出力、音声データを出力などを行うようにしている。
　【００１６】広告手段３は、広告情報テーブル４を参照して該当する商品広告を表示したり、音声を発声させたり、印刷させたりなどするものである。広告情報テーブル４は、広告情報を登録するものである（後述する）。
　【００１７】広告出力装置５は、広告を表示したり、音声を発声したり、印刷したりするものである。ネットワーク６は、処理装置２と外部の端末との間でデータの授受を行うネットワークである。」
　
（イ）「【００５５】図７は、本発明の動作説明図（その６）を示す。この図７は、気温センサによる広告表示例である。図７の（ａ）は、本発明の動作説明フローチャートを示す。
　【００５６】図７の（ａ）において、Ｓ５１は、センサにより気温Ｔを読み取る。これは、店で店頭などの配置した気温センサにより気温Ｔを読み取る。Ｓ５２は、気温Ｔから広告を決定するためのキーＸを関数ｆ（Ｔ）により計算する。例えば右側に記載したように、
　　　ｉｆ　Ｔ＞２５　ｔｈｅｎ　Ｘ＝０
　　　　　　ｅｌｓｅ　Ｘ＝１
により気温ＴのときのキーＸを計算する。
　【００５７】Ｓ５３は、キーＸに対応する広告情報を広告情報テーブル４を参照する（頻度の高いものを参照する）。これは、Ｓ５２で気温ＴからキーＸを求め、この求めたキーＸをもとに、後述する図７の（ｂ）の広告情報テーブル４を参照し、該当するキーＸの広告情報のうちの、頻度情報の最も高いエントリの広告情報を取り出す。例えば気温Ｔ＝３０°Ｃの場合には、Ｓ５２でＸ＝０となり、図７の（ｂ）の広告情報テーブル４のキーＸ＝０のエントリ中の頻度情報の最も高い「３」の広告情報Ｃを読み出す。
　【００５８】Ｓ５４は、頻度情報をカウントアップする。これは、Ｓ５３で読み出した広告情報の頻度情報をカウントアップし、人気のある広告情報の頻度情報がより多く表示するようにしておく。
　【００５９】Ｓ５５は、広告情報を表示装置へ表示および音声で発声する。以上によって、気温センサによって気温Ｔを測定して当該気温Ｔに対応する広告情報および広告音声情報を広告情報テーブル４を参照して読み出して画面上に表示および音声を発声し、気温Ｔに合致した最適な広告を自動的に行うことが可能となる。」
　
（ウ）「【００６３】尚、図７では気温センサによって検出した気温Ｔを関数によりキーＸに変換し、当該キーＸをもとに広告情報テーブル４を参照して気温Ｔに最適な広告情報および広告音声情報を読み出して表示／発声したが、これに限られず、当該気温センサ以外の湿度センサ、騒音センサなどの各種環境の状態を検出するセンサによって検出された値をもとにキー値を決め、最適な広告情報および広告音声情報を読み出した表示／発声するようにしてもよい。」
　
　上記（ア）〜（ウ）の記載および図面の記載を総合すると、引用文献１には、
「処理装置２から広告出力装置５に対して広告情報を出力し、出力された広告情報を広告出力装置５に表示させる、処理装置２において、
　処理装置２には、複数の広告情報が広告情報テーブル４に記憶され、また、気温や湿度等の情報と複数の広告情報とを関連付けた関数ｆ（Ｔ）とキーＸが記憶されており、処理装置２に気温や湿度等が入力されると、入力された気温や湿度等に基づいて関数ｆ（Ｔ）によりキーＸを計算して、キーＸをもとに最適な広告情報を広告情報テーブルから読み出し、当該読み出された広告情報を広告出力装置５に出力する、気温や湿度等に応じた最適な広告を自動的に行う広告情報の供給方法」
の発明（以下、引用文献１発明という。）が記載されていると認めることができる。
　
３．対比
　上記認定を踏まえて引用文献１発明と本願発明を対比すると、
（あ）引用文献１発明の「処理装置２」は、複数の広告情報を記憶し、広告情報を広告出力装置に送出しているのであるから、機能的にみれば、本願発明の「配信センタ」に相当することは明らかである。なお、「出力する」ことと「配信する」ことの実質的な相違は認められない。
（い）引用文献１発明の「広告出力装置」は、「所定位置に配置されて」いることは明らかであり、「広告情報を表示している」のであるから、本願発明の「所定位置に配置された広告表示装置」に相当する。
（う）引用文献１発明の「温度や湿度」は、本願発明の「複数の環境」ないしは「環境変化」に相当することは明らかである。
　また、引用文献１発明は、処理装置２と広告出力装置５が近接して配置されているから、気温や湿度等の情報は処理装置２に入力されているが、「広告出力装置」が配置された位置の気温や湿度に応じて最適な広告を表示したいという引用文献１発明の目的からすれば、処理装置２に入力される気温や湿度等の情報は、結局のところ広告出力装置５が配置された位置に関する環境情報ということができる。
　したがって、引用文献１発明の「処理装置２に気温や湿度等が入力される」ことは、本願発明の「広告表示装置が配置された所定位置に関する環境変化を取得する」ことと実質的に同じといえる。
（え）引用文献１発明の「複数の広告情報」、「関数ｆ（Ｔ）」は、本願発明の「複数の広告情報」、「環境パラメータ」に相当することは明らかであり、引用文献１発明が「複数の広告情報が広告情報テーブル４に記憶され、また、気温や湿度等の情報と複数の広告情報とを関連付けた関数ｆ（Ｔ）とキーＸが記憶され」ているということは、「複数の広告情報」や「気温や湿度等の情報と複数の広告情報とを関連付けた関数ｆ（Ｔ）とキーＸ」を入力する段階があることを意味しているのであるから、その情報を入力する者の違いを除けば、引用文献１発明の「複数の広告情報が広告情報テーブル４に記憶され、また、気温や湿度等の情報と複数の広告情報とを関連付けた関数ｆ（Ｔ）とキーＸが記憶されている」ことは、本願発明の「複数の環境に応じた複数の広告情報の入力を促す段階と、前記複数の環境を複数の環境パラメータで表し、当該複数の環境パラメータと入力された前記複数の広告情報とを関連付けて記憶する段階」があることに相当する。
（お）引用文献１発明の「処理装置２に気温や湿度等が入力されると、入力された気温や湿度等に基づいて関数ｆ（Ｔ）によりキーＸを計算して、キーＸをもとに最適な広告情報を広告情報テーブルから読み出し、当該読み出された広告情報を広告出力装置５に出力する」ことは、本願発明の「取得した環境変化に対応する前記環境パラメータに関連付けられた前記広告情報を読み出す段階と、当該読み出された広告情報を前記広告表示装置に対して配信する段階」に相当する。
　
　以上のことから、両者は、
＜一致点＞
「配信センタから所定位置に配置された広告表示装置に対して広告情報を配信し、該配信した広告情報を前記広告表示装置に表示させて、広告情報の供給を行うために、
　前記配信センタにおいて、
　複数の環境に応じた複数の広告情報の入力を促す段階と、
　前記複数の環境を複数の環境パラメータで表わし、当該複数の環境パラメータと入力された前記複数の広告情報とを関連付けて記憶する段階と、
　前記広告表示装置の配置された所定位置に関する環境変化を取得する段階と、
　取得した環境変化に対応する前記環境パラメータに関連付けられた前記広告情報を読み出す段階と、
　当該読み出された広告情報を前記広告表示装置に対して配信する段階とを実行し、
　前記広告表示装置を取り巻く環境に連動した広告情報を提供することを特徴とする広告情報の供給方法。」
である点で一致し、以下の点で相違する。
　
＜相違点１＞
　引用文献１発明の「処理装置２」は、広告出力装置５の近辺に配置されたものであるのに対し、本願発明の「配信センタ」は、請求項の記載からは明確でないが、明細書や図面の記載からすると広告表示装置から離れた位置に置かれたものと解される点。
＜相違点２＞
　引用文献１発明において、「複数の広告情報」や「気温や湿度等の情報と複数の広告情報とを関連付けた関数ｆ（Ｔ）とキーＸ」などの情報は、処理装置２の管理者が入力していると理解されるものであるのに対し、本願発明は、「複数の環境に応じた複数の広告情報」を広告依頼者に入力を促して入力させている点。
＜相違点３＞
　引用文献１発明において、広告出力装置が配置された位置における温度や湿度の情報（環境変化）は、センサによって検出され取得されているのに対し、本願発明は、前記位置での環境変化を「通信回線を介して接続された気象情報配信サーバ」から取得している点。
　
４．当審の判断
＜相違点１＞について
　広告情報を配信センタに記憶しておき、遠方に置かれた表示装置、端末等に対し広告情報を配信して広告を表示させることは、本願の拒絶査定時に示された特開平１１−６５４３４号公報にも記載があるが、例を示すまでもないほどの周知技術である。
　したがって、相違点１は設計上の微差にすぎない。
＜相違点２＞について
　引用文献１発明における「複数の広告情報」や「気温や湿度等の情報と複数の広告情報とを関連付けた関数ｆ（Ｔ）とキーＸ」は、直接的には装置管理者が入力していると理解できる。
　しかしながら、これらの情報は、広告依頼者から直接得ているか、あるいは広告依頼者からの要望に基いて作成されるものであり、情報の出所は広告依頼者なのであるから、これらの情報を広告依頼者に入力させるように換えることは適宜なし得るものと認められる。
＜相違点３＞について
　本願の拒絶査定時に示された特開平１１−６５４３４号公報や特開２０００−２２５２２６号公報に記載されているように、広告等の所定の情報を受け取る端末が配置された位置での気象情報を、広告等の所定の情報を配信する側が気象情報配信サーバから取得することは、周知な技術である。
　したがって、引用文献１発明において、広告出力装置が配置された位置における環境情報をセンサから取得することに換えて、処理装置２（配信センタ）が環境情報を気象情報配信サーバから取得するようにすることは、周知技術から容易に想到できると認められる。
　なお、審判請求人は、審判請求の理由において、拒絶査定で挙げられた文献は、端末側の要求に応じて気象情報配信サーバが気象情報を提供するもので、広告表示装置での表示内容の同期が不可能である旨の主張をしているが、相違点３として検討しているのは、環境情報をどこから取得しているかについてであり、取得タイミング等の相違は本願発明の容易性を判断するにあたり関係する事項ではない。
　したがって、審判請求人の上記主張は、採用することができない。
　
　そして、上記相違点を総合的にみても、引用文献１に記載された発明及び周知技術から容易に想到できる域を超える格別のものは認められず、本願発明の効果についても、特段のものを認めることができない。
　
５．まとめ
　以上のとおり、本願発明は、引用文献１に記載された発明及び周知技術に基いて、当業者が容易に発明をすることができたものであるから、特許法第２９条第２項の規定により特許を受けることができない。
　したがって、他の請求項に係る発明についての検討・判断を示すまでもなく、本願は拒絶されるべきものである。
　よって、結論のとおり審決する。